(57)【要約】【課題】  携帯電話機のＴＶ電話機能を使用する場合、ＴＶ電話カメラ位置等をその都度調整する手間を不要とする卓上ホルダを提供する。【解決手段】  カメラ１１を携帯電話機本体１０に設けた開口部内に方向を可動可能に取り付けたＴＶカメラ機能付きの携帯電話機１０を装着する卓上ホルダ２０は、携帯電話機１０を装着した状態で、カメラ１１の背面側からカメラ１１の向く方向を調整する調整レバー２５を備え、装着した携帯電話機１０のカメラによる撮影において照明効果を与える照明部２１と指向性マイク２２１を回動可能に設け、調整レバー２５を操作することで、カメラ１１と照明部２１と指向性マイク２２１の向きを連動して調整できる構造とした。【選択図】        図１
2005286387.tif 000002
【特許請求の範囲】
【請求項１】
カメラを携帯電話機本体に設けた開口部内に方向を可動可能に取り付けたＴＶカメラ機能付きの携帯電話機を装着する卓上ホルダであって、
前記携帯電話機を装着した状態で、前記カメラの背面側からカメラの向く方向を調整する調整レバーを備えることを特徴とする卓上ホルダ。
【請求項２】
装着した前記携帯電話機の前記カメラによる撮影において照明効果を与える照明手段を回動可能に設け、
前記携帯電話機を装着した状態で、前記調整レバーを操作することで、前記カメラと前記照明手段の向きを連動して調整できる構造としたことを特徴とする請求項１に記載の卓上ホルダ。
【請求項３】
折り畳み可能な前記携帯電話機を開いた状態で、前記携帯電話機全体を所定の角度を持って寝かせた状態で保持する構造としたことを特徴とする請求項１又は請求項２に記載の卓上ホルダ。
【請求項４】
前記携帯電話機を装着した状態で、前記携帯電話機に対して音声を入力するための指向性マイクを、前記照明手段と一体に設けたことを特徴とする請求項２に記載の卓上ホルダ。
【請求項５】
前記調整レバーが、
前記携帯電話機を装着した状態で、前記照明手段及び前記カメラの背面側で上下にスライドするレバーであって、スライド動作によって前記照明手段及び前記カメラを背面側から押す２つの突起部を有するレバーで構成されることを特徴とする請求項２から請求項４の何れか１項に記載の卓上ホルダ。
【請求項６】
前記携帯電話機を装着した状態で、前記マイクの感度を調整するためのマイク感度調整用アンプとボリュームを設けたことを特徴とする請求項４に記載の卓上ホルダ。
【請求項７】
前記携帯電話機を装着した状態で、前記携帯電話機からの音声信号を入力して外部に出力するスピーカと、当該スピーカによる出力音声の音量を調整するスピーカ音量調整用アンプとボリュームを設けたことを特徴とする請求項１から請求項６の何れか１項に記載の卓上ホルダ。
【請求項８】
前記携帯電話機を装着した状態で、前記携帯電話機の音声入力用の接続端子と接続され、前記マイクからの音声を前記携帯電話機に入力するためのマイク接続端子を備えることを特徴とする請求項１から請求項７の何れか１項に記載の卓上ホルダ。
【請求項９】
前記携帯電話機を装着した状態で、前記携帯電話機の音声信号出力用の接続端子と接続され、前記携帯電話機からの音声信号を前記スピーカに入力するためのスピーカ接続端子を備えることを特徴とする請求項７に記載の卓上ホルダ。
【請求項１０】
前記携帯電話機の外部電源入力用の端子と接続され、ＡＣ電源を外部電源として供給するアダプタからの電源を前記携帯電話機に入力する電源接続端子を備えることを特徴とする請求項１から請求項９の何れか１項に記載の卓上ホルダ。
【発明の詳細な説明】
【技術分野】
【０００１】
本発明は、ＴＶ電話機能付きの携帯電話機に用いる卓上ホルダに関し、携帯電話機を搭載した際に、使用者と通話相手に対して安定したＴＶ電話機能を提供する携帯電話機の卓上ホルダに関する。
【背景技術】
【０００２】
現在、ＴＶ電話機能付きの携帯電話機が広く普及しており、持ち歩いてＴＶ電話機能を使うだけでなく、携帯電話機を机上に置いてＴＶ電話機能を使う状況が増えてきている。
【０００３】
例えばビジネスの場において顧客との折衝等にも利用されており、机上でＴＶ電話機能付きの携帯電話機を用いる場合においてカメラの位置を安定させるため、机上に携帯電話機を置く度にＴＶ電話カメラの位置の調整を行っている。
【０００４】
個人的（私的な）利用にあっては、ＴＶ電話カメラの方向などがその都度変わっても、相手が受け取る印象は大き違ってしまうことはないが、ビジネスでの利用にあっては、背景に何を映すか、画像の大きさは適当か、照明の明るさと方向で印象が変わらないか等、ＴＶ電話カメラが写す対象が重要なことになる。
【０００５】
ＴＶ電話機能を使う場合において、ＴＶ電話カメラの方向を顔の位置に合わせ、照明の方向を最適に調整しても、携帯電話機は常に携帯していることにより再度机上に携帯電話機を置いて使う場合には、ＴＶ電話カメラの方向や照明方向を再設定をしなければならない。
【０００６】
携帯電話機を静かなオフィスの机上で使う場合において、街頭で使う場合とスピーカの音量やマイク感度の違いにより、スピーカの音量やマイク感度の変更を行っている。
【０００７】
オフィスの机上でＴＶ電話機能を使用する場合おいて、マイクは周囲の音を相手に伝えたくない場合が多いことにより、指向性マイクを用いるためマイクの感度調整と同時に、マイク方向の調整を行っている。
【０００８】
ＴＶ電話を机上で使う場合において、引出しの開閉、筆記具の使用など少しの動きにより、携帯電話の安定性が維持できなくなりで位置がずれてしまいその都度に、携帯電話機の調整を行っているのが現状である。
【０００９】
また、ＴＶ電話機能付きの携帯電話機を卓上で保持するための保持装置の従来技術が、例えば特開２００２−１７６５６８号公報（特許文献１）に記載されている。この特許文献１に記載される保持装置は、カメラ付き携帯電話機を装着した状態で、ダイヤルトーン信号又は、リモートコントローラからの信号によってカメラ付き携帯電話機の向きや方向の調整である姿勢制御を行うことができるように構成されている。
【特許文献１】特開２００２−１７６５６８号公報
【発明の開示】
【発明が解決しようとする課題】
【００１０】
これまでのＴＶ電話機能付きの携帯電話機において、以下に述べる問題点があった。
【００１１】
机上でＴＶ電話機能付きの携帯電話機を使用する場合、背景に何かを写すか、画像の大きさは適当か、照明の明るさと方向等に注意を払い、ＴＶ電話カメラの置き場所や方向をＴＶ電話カメラから受ける印象が大きく違わないよう、位置をその都度調整しなければならないという問題があった。
【００１２】
また、携帯電話機を静かなオフィスの机上で使う場合と街頭で使う場合とで、スピーカの音量やマイク感度を変えないと適切な会話ができないため、スピーカ音量とマイク感度その都度調整しなければならないという問題があった。
【００１３】
また、指向性マイクを用いていることから、マイク感度だけでなくマイクの方向もその都度調整しなければならない。
【００１４】
また、上記特許文献１に開示される保持装置においては、リモートコントローラによって姿勢制御を行うことから、姿勢制御を行うための構成部品（モータや制御回路）が多数必要となり構造が複雑で、コストがかかると共に、カメラの向き、マイクの向き及びマイクの感度やスピーカの音量を手軽に調整できないという欠点を有している。
【００１５】
本発明の目的は、ＴＶ電話機能付きの携帯電話機を装着する卓上ホルダであって、ＴＶ電話カメラ位置（向き）をその都度調整する手間を不要とする卓上ホルダを提供することにある。
【００１６】
本発明の他の目的は、カメラと照明及び指向性マイクの向きを、連動して調整できるようにした卓上ホルダを提供することにある。
【００１７】
本発明の他の目的は、携帯電話機のスピーカ音量とマイク感度をその都度調整する手間を不要とする卓上ホルダを提供することにある。
【課題を解決するための手段】
【００１８】
上記のような目的を達成する本発明は、カメラを携帯電話機本体に設けた開口部内に方向を可動可能に取り付けたＴＶカメラ機能付きの携帯電話機を装着する卓上ホルダであって、前記携帯電話機を装着した状態で、前記カメラの背面側からカメラの向く方向を調整する調整レバーを備えることを特徴とする。
【００１９】
請求項２の本発明の卓上ホルダは、装着した前記携帯電話機の前記カメラによる撮影において照明効果を与える照明手段を回動可能に設け、前記携帯電話機を装着した状態で、前記調整レバーを操作することで、前記カメラと前記照明手段の向きを連動して調整できる構造としたことを特徴とする。
【００２０】
請求項３の本発明の卓上ホルダは、折り畳み可能な前記携帯電話機を開いた状態で、前記携帯電話機全体を所定の角度を持って寝かせた状態で保持する構造としたことを特徴とする。
【００２１】
請求項４の本発明の卓上ホルダは、前記携帯電話機を装着した状態で、前記携帯電話機に対して音声を入力するための指向性マイクを、前記照明手段と一体に設けたことを特徴とする。
【００２２】
請求項５の本発明の卓上ホルダは、前記調整レバーが、前記携帯電話機を装着した状態で、前記照明手段及び前記カメラの背面側で上下にスライドするレバーであって、スライド動作によって前記照明手段及び前記カメラを背面側から押す２つの突起部を有するレバーで構成されることを特徴とする。
【００２３】
請求項６の本発明の卓上ホルダは、前記携帯電話機を装着した状態で、前記マイクの感度を調整するためのマイク感度調整用アンプとボリュームを設けたことを特徴とする。
【００２４】
請求項７の本発明の卓上ホルダは、前記携帯電話機を装着した状態で、前記携帯電話機からの音声信号を入力して外部に出力するスピーカと、当該スピーカによる出力音声の音量を調整するスピーカ音量調整用アンプとボリュームを設けたことを特徴とする。
【００２５】
請求項８の本発明の卓上ホルダは、前記携帯電話機を装着した状態で、前記携帯電話機の音声入力用の接続端子と接続され、前記マイクからの音声を前記携帯電話機に入力するためのマイク接続端子を備えることを特徴とする。
【００２６】
請求項９の本発明の卓上ホルダは、前記携帯電話機を装着した状態で、前記携帯電話機の音声信号出力用の接続端子と接続され、前記携帯電話機からの音声信号を前記スピーカに入力するためのスピーカ接続端子を備えることを特徴とする。
【００２７】
請求項１０の本発明の卓上ホルダは、前記携帯電話機の外部電源入力用の端子と接続され、ＡＣ電源を外部電源として供給するアダプタからの電源を前記携帯電話機に入力する電源接続端子を備えることを特徴とする。
【発明の効果】
【００２８】
本発明によれば、以下に述べるような優れた効果が得られる。
【００２９】
第１に、携帯電話機を装着した状態で、調整レバーの操作によって、カメラの向く方向を簡単に調整することができる。
【００３０】
第２に、調節レバーによってカメラと照明の方向と連動して調整できるので、ＴＶ電話機能を利用する際にカメラの向き、照明の向きの調整のための手間が大幅に軽減できる。
【００３１】
第３に、スピーカ音量、マイク感度を使用する場所に応じて予め調整しておけば、電話機の調整状態にかかわらず、常に一定のスピーカ音量とマイク感度が保持することができる。
【実施例】
【００３２】
以下、本発明の好適な実施例について図面を参照して詳細に説明する。
【００３３】
本発明の第１の実施例による卓上ホルダ２０に、折り畳み式の携帯電話機１０を装着した状態の外観斜視図を図１に、その縦断面図を図２に示す。本実施例の携帯電話機１０は通常使用するマイク１２１、スピーカ１３１、ＴＶ電話用カメラ１１からなる。卓上ホルダ２０はＴＶ電話用カメラ１１を角度調節する卓上ホルダ調節レバー２５、装着時に使用する携帯電話機１０に対して音声入力が行える卓上ホルダマイク２２１、卓上ホルダマイク２２１と一体の卓上照明部２１、卓上ホルダスピーカ２３１を備えている。
【００３４】
携帯電話機１０のＴＶ電話用カメラ１１の縦断面図を図３に示す。ＴＶ電話用カメラ１１は、本体に形成した開口部１１１にＴＶ電話用カメラ回転軸１１２によって回動可能に取り付けられており、これによりＴＶ電話用カメラ１１の向きを任意の角度に調整することができる。
【００３５】
また、卓上ホルダ２０の互いに一体となった卓上ホルダマイク２２１と卓上照明部２１は、図２に示すように、回転軸２１２によって回動可能に支持され、これにより、向きの調整が行えるようになっている。卓上照明部２１は、携帯電話機１０のＴＶ電話用カメラ１１による撮影において照明効果を与えるためのものであり、卓上ホルダマイク２２１は、携帯電話機１０を装着した状態で、携帯電話機１０に対して音声入力を行うもので、指向性マイクが用いられている。
【００３６】
携帯電話機１０が未装着状態の卓上ホルダ２０の上部分斜視図を図４に示す。卓上ホルダ調節レバー２５は、突起状の卓上ホルダ調節部２５２が卓上照明部２１と一体となった指向性のある卓上ホルダマイク２２１の裏側がを押し上げ、かつ突起状の卓上ホルダカメラ調節部２５１が携帯電話機１０のＴＶ電話用カメラ１１の裏側を押し上げる構造となっている。
【００３７】
卓上ホルダ２０は、開いた携帯電話機１０全体を所定の角度を持って寝かせた状態で保持する構造となっている。
【００３８】
携帯電話機１０を開いた状態で卓上ホルダ２０の上に装着した場合、ＴＶ電話用カメラ１１は、開口部１１１より卓上ホルダカメラ調節部２５１が挿入され接触する。ＴＶ電話用カメラ１１は卓上ホルダ調節レバー２５を上下にスライドすることにより、卓上ホルダカメラ調節部２５１がＴＶ電話用カメラ１１との接触位置を変える事により角度を変えることができる。卓上ホルダ照明部２１と指向性のある卓上ホルダマイク２２１は突起状の卓上ホルダ調節部２５２によりＴＶ電話用カメラ１１と連動して同じ方向を向くようにできる。
【００３９】
携帯電話機１０が装着される卓上ホルダ２０の回路機構を図５に示す。
【００４０】
図５において卓上ホルダ２０は、卓上ホルダスピーカ音量調整用アンプ２３３と卓上ホルダマイク感度調整用アンプ２２３が設けられている。卓上ホルダマイク感度調整用アンプ２２３に卓上ホルダマイク端子２２２と卓上ホルダマイク感度設定ボリューム２７が接続され、卓上ホルダスピーカ音量調整用アンプ２３３に卓上ホルダスピーカ端子２３２と卓上ホルダスピーカ音量設定ボリューム２６が接続されている。
【００４１】
使用者の音声は、マイク端子１２２と卓上ホルダマイク端子２２２とを介して、卓上ホルダマイク感度設定ボリューム２７で制御される卓上ホルダ内の卓上ホルダマイク感度調整用アンプ２２３で調整され携帯電話機１０に入力される。卓上ホルダマイク感度設定ボリューム２７により常に同じマイク感度を得ることができる。
【００４２】
通話相手の音声は、スピーカ端子１３２と卓上ホルダスピーカ端子２３２を介して、卓上ホルダスピーカ音量設定ボリューム２６に制御される卓上ホルダ内の卓上ホルダスピーカ音量調整用アンプ２３３で調整され卓上ホルダスピーカ２３１より出力される。スピーカ音量設定ボリューム２６により、常に同じ音量を得ることができる。そして、卓上ホルダスピーカ２３１からの通話音声は、卓上ホルダスピーカ孔２４より通話音声を卓上ホルダ２０の外部に出力される。
【００４３】
卓上ホルダ照明部２１は、卓上ホルダマイク２２１とＴＶ電話用カメラ１１と連動して上記のようにその方向が調整されるために、使用対象者が適切な明かりをもってＴＶ電話用カメラ１１に映ることができる。
【００４４】
尚、卓上ホルダ２０には、卓上ホルダ電源接続端子２８が設けられており、卓上ホルダ２０に携帯電話機１０を装着した場合、携帯電話機１０の外部電源入力端子１４が、卓上ホルダ２０の卓上ホルダ電源接続端子２８と接触して、導通し、
外部電源器３０から携帯電話機１０の電池を充電することができる。このように、外部電源器３０との接続を兼ねた構造にすることにより、消費電力の大きいＴＶ電話機能を長時間、同じ姿勢で使うことができる。
【００４５】
卓上ホルダ２０を使用すれば、手で携帯電話機１０を保持して使用するよりも安定したＴＶ電話機能を提供することができる。
【００４６】
対面した形での会話をすることにより相手の表情などの確認がしやすくなりじかに話すような感覚で通話することができる。
【００４７】
卓上ホルダ２０は、設置が可能な場所であるならば、机の上、ベッドサイドなどのどこからでも携帯電話機１０を使用することができ、老人や子供など誰でも気軽に使用することができる。
【００４８】
以上好ましい実施例をあげて本発明を説明したが、本発明は必ずしも上記実施例に限定されるものではなく、その技術的思想の範囲内において様々に変形して実施することができる。
【図面の簡単な説明】
【００４９】
【図１】本発明の一実施の形態にかかるＴＶ電話つき携帯電話機と卓上ホルダの接続状態を示す外観図である。
【図２】ＴＶ電話つき携帯電話機および卓上ホルダの断面図である。
【図３】携帯電話機のＴＶ電話用カメラの縦断面図である。
【図４】携帯電話機が未装着状態の卓上ホルダの上部分斜視図である。
【図５】携帯電話機と卓上ホルダの回路機構図である。
【符号の説明】
【００５０】
１０      携帯電話機
１１      ＴＶ電話用カメラ
１１１    開口部
１１２    ＴＶ電話用カメラ回転軸
１２１    マイク
１２２    マイク端子
１３１    スピーカ
１３２    スピーカ端子
１４      外部電源入力端子
２０      卓上ホルダ
２１      卓上ホルダ照明部
２２１    卓上ホルダマイク
２２２    卓上ホルダマイク端子
２２３    卓上ホルダマイク感度調整用アンプ
２３１    卓上ホルダスピーカ
２３２    卓上ホルダスピーカ端子
２３３    卓上ホルダスピーカ音量調整用アンプ
２４      卓上ホルダスピーカ孔
２５      卓上ホルダ調節レバー
２５１    卓上ホルダカメラ調節部
２５２    卓上ホルダ調節部
２６      卓上ホルダスピーカ音量設定ボリューム
２７      卓上ホルダマイク感度設定ボリューム
２８      卓上ホルダ電源接続端子
３０      外部電源器
【図１】
2005286387.tif 000003
【図２】
2005286387.tif 000004
【図３】
2005286387.tif 000005
【図４】
2005286387.tif 000006
【図５】
2005286387.tif 000007